(57)【特許請求の範囲】
【請求項１】
マイク以外の大部分の部品が収納され内側表面部にテンキー等を有する操作部が設けられた本体部と、
前記本体部の下端部に開閉可能に設けられ内側表面部に音声入力部が開口するようマイクが内蔵され閉じたときに前記操作部を覆う板状のカバーマイク部と、
を備えた携帯型通信装置において、
前記カバーマイク部が一対の板部材を重ね合わせることにより間に挾んでマイクを内蔵し、
前記板部材の各々にはその厚さ方向内側に高さを有し互いに嵌合するような形状にリブが形成されると共に、
前記カバーマイク部内の前記リブの周囲に肉抜き空間が形成された
ことを特徴とする携帯型通信装置。
【発明の詳細な説明】
【０００１】
【発明の属する技術分野】
本発明は、例えば携帯型電話器等のような、携帯型通信装置に関するものである。
【０００２】
【従来の技術】
従来の携帯型通信装置としては、例えば、図７に示すような携帯型電話器５０がある。同図に示す携帯型電話器５０は、その内部に制御回路基板や電池等の大部分の部品が収納されると共に、その内側表面部５２ａにテンキー５４やＬＣＤ（液晶表示部）等を用いたデータ表示部５６、アンテナ等が設けられた本体部５２と、この本体部５２の図中下端部に開閉可能に設けられ、マイク５８が内蔵されたカバーマイク部６０とから構成されている。
【０００３】
【発明が解決しようとする課題】
しかしながら、このような従来の携帯型電話器５０においては、図８に示すように、カバーマイク部６０は２枚の板部材６２，６３を重ね合わせて両面テープ等により互いが接着されて、これらの間にマイク５８を挾んで内蔵する構造となっている。
【０００４】
そしてそれらの板部材６２，６３は各々、マイク５８を内蔵するのに十分な肉厚を有しているため、カバーマイク部６０は重くなって携帯型電話器５０全体の重さを重くする一因となっていた。
【０００５】
このため板部材６２，６３の肉厚を薄くして軽量化を図ろうとすると、強度が低下して破損し易くなったり、確実にマイクを内蔵することができなくなるおそれがあるという問題があった。
【０００６】
そこで本発明は、上記問題点に鑑みて、カバーマイク部の軽量化を実現すると共にその強度の低下を防止することができる携帯型通信装置を提供することを課題とするものである。
【０００７】
【課題を解決するための手段】
上記課題を解決するために、本発明による携帯型通信装置は、マイク以外の大部分の部品が収納され内側表面部にテンキー等を有する操作部が設けられた本体部と、前記本体部の下端部に開閉可能に設けられ内側表面部に音声入力部が開口するようマイクが内蔵され閉じたときに前記操作部を覆う板状のカバーマイク部とを備えた携帯型通信装置において、前記カバーマイク部が一対の板部材を重ね合わせることにより間に挾んでマイクを内蔵し、前記板部材の各々にはその厚さ方向内側に高さを有し互いに嵌合するような形状にリブが形成されると共に、前記カバーマイク部内の前記リブの周囲に肉抜き空間が形成された構成としたものである。
【０００８】
このような構成の携帯型通信装置によれば、カバーマイク部を構成する板部材の各々に、その厚さ方向内側に高さを有し互いに嵌合するような形状にリブが形成されると共に、カバーマイク部内のリブの周囲に肉抜き空間が形成されるため、カバーマイク部を構成する板部材の大部分の肉厚を薄くすることができ、その肉抜き空間の分だけ重量を軽くできるので、カバーマイク部ひいては携帯型通信装置の重量の軽量化を実現することができる。また、互いに嵌合するような形状のリブを互いに嵌合させて組立てることにより補強してその強度の低下を防止することができ、板部材が簡単に破損したりマイクが内蔵できなくなるのを防止することができる。
【０００９】
【発明の実施の形態】
以下、本発明の実施の形態について、図面に基づいて具体的に説明する。
図１ないし図６は、本発明による携帯型通信装置の第１の実施の形態に係る携帯型電話器１０を説明するために参照する図である。
【００１０】
図１に示す携帯型電話器１０は、その内部に制御回路基板や電池等の大部分の部品が収納されると共に、その内側表面部１２ａにテンキー１４やＬＣＤ等を用いたデータ表示部１６、アンテナ等が設けられた本体部１２と、この本体部１２の図中下端部にヒンジ部２１により開閉可能に設けられ、マイク１８が内蔵されたカバーマイク部２０とから構成されている。
【００１１】
カバーマイク部２０は、図２及び図３に示すように２枚の板部材２２と２３とが重ね合わされて、内部にマイク１８が挾まれて内蔵されるようになっている。板部材２２，２３はその長さ方向及び幅方向に連続する肉厚部３１，３２を有すると共に、板部材２２には図４に示すような形状のリブ３４が、肉厚部３１の厚さ方向内側に高さを有して形成されており、板部材２３には図５に示すような形状のリブ３５が、肉厚部３２の厚さ方向内側に高さを有して形成されている。
【００１２】
また板部材２２，２３のマイク１８を収納する位置には、肉厚部３１，３２より薄い肉厚の円形の凹部３７，３８が形成されている。板部材２２の内側表面部２０ａにおいてその凹部３７の中心部には、マイク１８に入力させる音声が通るマイク用孔２５（音声入力部）が開口している。
【００１３】
板部材２２の先端部（図４中左端部）には、２つの挿入片２７が互いに幅方向に離れて形成されており、この挿入片２７は、図３に示すように、板部材２３の先端部（図３中左端部）に形成された袋状凹部２９内に挿入されるようになっている。
【００１４】
板部材２２と２３を重ね合わせて組み合わせるときは、板部材２３のリブ３５は板部材２２のリブ３４の外側に嵌合すると共に、リブ３４のコの字状凹部３４ａにリブ３５のコの字状凸部３５ａが嵌合することにより、板部材２２と２３の相対的な位置決めが行われる。
【００１５】
図２に示すように板部材２２の挿入片２７が板部材２３の袋状凹部２９に嵌合することにより互いの厚さ方向の位置決めが行われるが、カバーマイク部２０の図外右端部においては、板部材２２と２３はヒンジ部２１において不図示のネジ部材により互いに固定されて、互いの厚さ方向の位置決め、固定が行われるようになっている。
【００１６】
また、図６に示すように、板部材２２の両側面２２ａが板部材２３の両側部の内側面２３ａに接触するように、板部材２２は板部材２３内に嵌合するようになっている。このようにして、板部材２２と２３が間にマイク１８を収納して組み立てられた状態においては、リブ３５に対してカバーマイク部２０の幅方向外側の内部には空隙３９（肉抜き空間）が画成され、リブ３４に対してカバーマイク部２０の幅方向中央側の内部には空隙４０（肉抜き空間）が画成されることになる。
【００１７】
このような本実施の形態に係る携帯型電話器１０によれば、カバーマイク部の軽量化を実現すると共に、その強度の低下を防止することができる。また、板部材に使う材料が少なくて済むのでそのコストダウンも図ることができる。
【００１８】
なお、上記実施の形態においては本発明を携帯型電話器に適用した場合について説明したが、本発明は携帯型電話器に限定する必要はなく、トランシーバー等、他のどのような携帯型通信装置にも適用することができる。
【００１９】
以上、本発明の実施の形態について具体的に述べてきたが、本発明は上記の実施の形態に限定されるものではなく、本発明の技術的思想に基づいて、その他にも各種の変更が可能なものである。
【００２０】
【発明の効果】
以上説明したように、本発明の携帯型通信装置によれば、カバーマイク部を構成する板部材の各々に、その厚さ方向内側に高さを有し互いに嵌合するような形状にリブが形成されると共に、カバーマイク部内のリブの周囲に肉抜き空間が形成されるため、カバーマイク部を構成する板部材の大部分の肉厚を薄くすることができ、その肉抜き空間の分だけ重量を軽くできるので、カバーマイク部ひいては携帯型通信装置の重量の軽量化を実現することができる。また、互いに嵌合するような形状のリブを互いに嵌合させて組立てることにより補強してその強度の低下を防止することができ、板部材が簡単に破損したりマイクが内蔵できなくなるのを防止することができる。
【図面の簡単な説明】
【図１】本発明による携帯型通信装置の第１の実施の形態に係る携帯型電話器１０を示す図であり、図１（ａ）はその正面図、図１（ｂ）はその側面図である。
【図２】図１における携帯型電話器１０のカバーマイク部２０の断面側面図である。
【図３】図２におけるカバーマイク部２０の分解断面側面図である。
【図４】図３における板部材２２のＩＶ矢視図である。
【図５】図３における板部材２３のＶ矢視図である。
【図６】図２におけるカバーマイク部２０のＶＩ−ＶＩ線拡大断面図である。
【図７】従来の携帯型電話器５０を示す図であり、図７（ａ）はその正面図、図７（ｂ）はその側面図である。
【図８】図７における携帯型電話器５０のカバーマイク部６０の断面側面図である。
【符号の説明】
１０  携帯型電話器
１２  本体部
１２ａ  内側表面部
１４  テンキー
１６  データ表示部
１８  マイク
２０  カバーマイク部
２０ａ  内側表面部
２１  ヒンジ部
２２，２３  板部材
２３ａ  内側面
２５  マイク用孔
２７  挿入片
２９  袋状凹部
３１，３２  肉厚部
３４，３５  リブ
３４ａ  コの字状凹部
３５ａ  コの字状凸部
３７，３８  凹部
３９，４０  空隙
５０  携帯型電話器
５２  本体部
５２ａ  内側表面部５２ａ
５４  テンキー
５６  データ表示部
５８  マイク
６０  カバーマイク部
６２，６３  板部材
【図１】
0003571204.tif 000002
【図２】
0003571204.tif 000003
【図３】
0003571204.tif 000004
【図４】
0003571204.tif 000005
【図５】
0003571204.tif 000006
【図６】
0003571204.tif 000007
【図７】
0003571204.tif 000008
【図８】
0003571204.tif 000009